(57)【要約】【課題】標示体の標示の装飾性を良好にするとともに経年による標示部分の劣化を防止することができる金属製標示体を提供する。【解決手段】ＳＵＳ材などの金属材を、正面視で所定の標示態様となるようにくり抜き加工した正面部材１０を、正面部材１０において所定の形状にくり抜かれた部分をＳＵＳ材などの金属材でできた閉塞部材２０で裏面から塞ぎ、正面部材１０と閉塞部材２０との合わせ面を隙間ができないように隙間ができないように溶接で接合して接合部を形成する。このようにして形成した正面部材１０の４つの端面に側面部材１１〜１４、天井部材１６を隙間ができないように溶接し、さらに背面側に背面部材１５を溶接し立体的な墓標部５とする。これの下側端面に、墓標部５と同様にして形成した基礎部７の上側端面を隙間ができないように溶接で接合して立体的な金属製墓標１とする。【選択図】図１
2019039963.tif 000002
【特許請求の範囲】
【請求項１】
金属材を、正面視で所定の標示態様となるようにくり抜き加工した第１部材と、
前記第１部材において所定の形状にくり抜かれた部分を裏面から塞ぐ形状を有する金属製の第２部材と、
前記第１部材と前記第２部材との合わせ面を隙間ができないように接合する接合部と、
を備えたことを特徴とする立体的な金属製標示体。
【請求項２】
請求項１に記載の金属製標示体において、
前記第１部材と前記第２部材とにより形成される凹部に塗料を注入したことを特徴とする金属製標示体。
【請求項３】
請求項１又は請求項２に記載の金属製標示体において、
メッセージ表示のための情報が格納されるとともに、前記第１部材に刻印された識別符号を備えたことを特徴とする金属製標示体。
【発明の詳細な説明】
【技術分野】
【０００１】
本発明は、軽量で錆びにくく、標示内容の視認性が良い金属製標示体に関する。
【背景技術】
【０００２】
従来、展開可能なシート部材からなり、周囲に適宜マークや文字等を標示した筒状体と、その筒状体に装着して筒状体を立体形状に保持する保持具と、から構成され、保持具をボルトなどにより設置部に着脱自在に固定することにより、筒状体を立設支持するようにした標示体があった（例えば、引用文献１参照）。
【先行技術文献】
【特許文献】
【０００３】
【特許文献１】特開２００１−３１１１２２号公報
【発明の概要】
【発明が解決しようとする課題】
【０００４】
上記従来の標示体では、合成樹脂のシートにマークや文字を印刷したものを、下端から上端に向けて先細になるテーパ状の筒状体に形成し、その筒状体を、環状の枠体形状の保持部に挿通する。そして、枠体の内周と筒状体の外周とが接触した際に、筒状体の外周面の接線方向に作用する自己拡張弾力によって、筒状体が枠体に対して立体形状に保持され、かつ、枠体に形成された結合に係止されることで軸心方向の移動が規制され、安定した姿勢で設置できる標示体となるようになっている。
【０００５】
ところが、この標示体は、合成樹脂のシートの表面にマークや文字が印刷してあるため、標示の装飾性に欠け、また、長期の使用によって樹脂や印刷部分が劣化し、標示体全体の色合いが悪くなったり、マークや文字が見えなくなったりするという問題があった。
【０００６】
本発明は、こうした問題に鑑みなされたもので、標示体の標示の装飾性を良好にするとともに経年による標示部分の劣化を防止することができる金属製標示体を提供することを目的とする。
【課題を解決するための手段】
【０００７】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００８】
［適用例１］
本発明に係る金属製標示体（１）は、
金属材を、正面視で所定の標示態様となるようにくり抜き加工した第１部材（１０）と、
前記第１部材（１０）において所定の形状にくり抜かれた部分を裏面から塞ぐ形状を有する金属製の第２部材（２０）と、
前記第１部材（１０）と前記第２部材（２０）との合わせ面を隙間ができないように接合する接合部（３０）と、
を備えたことを要旨とする立体的な金属製標示体（１）である。
【０００９】
このような金属製標示体（１）では、標示面を形成する金属製の第１部材（１０）に、正面視で所定の標示形態となるようにくり抜き加工をし、くり抜いた部分を裏面から金属製の第２部材（２０）で塞いでいる。また、第１部材（１０）と第２部材（２０）との合わせ面を隙間ができないように接合してある。
【００１０】
つまり、標示面を形成する第１部材（１０）が金属製であるため、光沢があるなど、樹脂を用いる場合に比べ装飾性を向上させることができる。
さらに、標示面を形成する第１部材（１０）の標示部分（くり抜き加工を施した部分）の表面側から裏面側へ水分が侵入しないようになっている。したがって、例えば、標示面を略矩形形状とし、その４面に金属製の部材を接合するとともに、他の金属部材を接合して立方体を形成するようにすると、立方体の内部に水分が侵入しない。
【００１１】
すると、金属製標示体（１）の内部に蓄積した水分により、金属が腐食しにくくなるため、標示体の標示の装飾性を良好に保ことができる。また、標示部分は、金属の凹部（２２）による標示となるため、金属表面に印刷を行う場合に比べ、標示が立体的で装飾性を向上させることができる。
【００１２】
［適用例２］
適用例１に記載の金属製標示体（１）において、
前記第１部材（１０）と前記第２部材（２０）とにより形成される凹部（２２）に塗料（２４）を注入したことを要旨とする。
【００１３】
このように、第１部材（１０）と第２部材（２０）とにより形成される凹部（２２）に塗料（２４）を注入することにより、標示の輪郭を鮮明にすることができるなど、標示の装飾性をより向上させることができる。
【００１４】
［適用例３］
適用例１又は適用例２に記載の金属製標示体（１）において、
メッセージ表示のための情報が格納されるとともに、前記第１部材に刻印された識別符号（５０）を備えたことを要旨とする。
【００１５】
このような金属製標示体（１）では、識別符号に格納された情報に基づいて、種々のメッセージを、例えば、スマートフォンなどの端末機器（６０）に表示することができる。
【図面の簡単な説明】
【００１６】
【図１】金属製墓標の概略の外観図である。
【図２】金属製墓標の正面部材と閉塞部材とを接合する部分の拡大図である。
【図３】識別符号５０を用いてメッセージ伝達を行う場合のメッセージ伝達システムの概略の構成を示す図であり
【図４】端末機器においてメッセージ表示を行うためのメッセージ表示処理の流れを示すフローチャートである。
【発明を実施するための形態】
【００１７】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１８】
（金属製墓標の構成）
図１は、本発明が適用された金属製墓標１の概略の外観図であり、図２は、金属製墓標１の正面部材１０と閉塞部材２０とを接合する部分の拡大図である。
【００１９】
図１に示すように、金属製墓標１は、墓標部５と基礎部７とを備えている。
墓標部５は、平面の断面形状が不等辺六角形となっており、正面部材１０、第１右側面部材１１、第２右側面部材１２、第１左側面部材１３、第２左側面部材１４、背面部材１５及び天井部材１６を有している。
【００２０】
墓標部５の各部材１０〜１６は、厚さ２［ｍｍ］のＳＵＳ材を使用しており、正面部材１０及び背面部材１５は、上底が下底よりも短い等脚台形の形状であり、第１右側面部材１１、第２右側面部材１２、第１左側面部材１３及び第２左側面部材１４は、脚の１つの長さが他の脚の長さよりも短い不等脚台形となっている。また、天井部材１６の形状は、不等辺六角形となっている。
【００２１】
正面部材１０の右側端部と第１右側面部材１１の左側端部、第１右側面部材１１の右側端部と第２右側面部材１２の左側端部、第２右側面部材１２の右側端部と背面部材１５の左側端部、背面部材１５の右側端部と第２左側面部材１４の左側端部、第２左側面部材１４の右則端部と第１左側面部材１３の左側端部、第１左側面部材１３の右側端部と正面部材１０の左側端部がそれぞれ突き合わされて、連続すみ肉溶接よって隙間なく溶接され、水平面の断面形状が不等辺六角形で、上下部が開放された立体形状となっている。
【００２２】
また、そのようにして形成された立体部分の上端部が天井部材１６の端部に突き合わされて、連続すみ肉溶接によって隙間なく溶接され墓標部５を形成している。
正面部材１０には、正面視で所定の標示態様（本実施形態では、「やすらぎ」の文字表記）がくり抜き加工されている。このくり抜き加工は、レーザ加工により行われている。ＳＵＳ材をレーザ加工すると、くり抜かれる部分の切断面が鋭くなり、いわゆるエッジが立った文字表記とすることができる。
【００２３】
また、図２に示すように、厚さ１［ｍｍ］のＳＵＳ材を、「やすらぎ」表記のそれぞれの文字を形成する、くり抜かれた部分と同じ形状となるように、レーザ加工によって形成し閉塞部材２０とする。そして、閉塞部材２０を、正面部材１０のくり抜かれた部分に裏面側から挿入してくり抜かれた部分を閉塞する。
【００２４】
さらに、閉塞部材２０を挿入した後、閉塞部材２０の外端部と正面部材１０のくり抜かれた部分の端部を連続すみ肉溶接によって隙間なく溶接する。このようにすると、正面部材１０の文字表記部分には、正面部材１０と閉塞部材２０とで凹部２２が形成される。この凹部２２に、例えば黒色などに着色された塗料２４を注入する。
【００２５】
また、正面部材１０の右下部分に、識別符号が刻印されている。この識別符号については詳細を後述する。
【００２６】
基礎部７は、墓標部５と同様に平面の断面形状が不等辺六角形となっており、墓標部５を構成する各部材１０〜１５に対応した下部正面部材４０、下部第１右側面部材４１、下部第２右側面部材４２、下部第１左側面部材４３、下部第２側面部材４４及び下部背面部材４５を備え、また、天井部材１６に対応した底面部材４６を備えている。
【００２７】
また、下部正面部材４０、下部第１右側面部材４１、下部第２右側面部材４２、下部第１左側面部材４３、下部第２側面部材４４、下部背面部材４５及び天井部材１６が墓標部５と同様にして溶接により上面が開放した立体形状を形成している。
【００２８】
そして、墓標部５の下部開放端と基礎部７の上部開放端とが突き合わされ、連続すみ肉溶接によって隙間なく溶接により結合されている。
また、基礎部７の底面部材４６には、金属製墓標１を納骨棺（カロート）の上面などに取り付けるための図示しない孔が４か所設けられている。また、各孔には、水分の内部への浸透を防止するためのゴム製や樹脂製のブッシュが取り付けられている。
【００２９】
なお、納骨棺に４本の金属製の柱付きのアンカーを埋め込み、その柱を基礎部７の４つの孔に挿通させることで、金属製墓標１を納骨棺などの上面に取り付けるようになっている。
【００３０】
（識別符号を用いたメッセージ伝達）
（メッセージ伝達システムの構成）
次に、図３に基づき識別符号５０を用いたメッセージ伝達システム２について説明する。図３は、識別符号５０を用いてメッセージ伝達を行う場合のメッセージ伝達システム２の概略の構成を示す図である。
【００３１】
図３に示すように、メッセージ伝達システム２は、端末機器６０により金属製墓標１の正面部材１０に刻印されたＱＲコードを読み取り、インターネット９０に接続されているＤＮＳサーバ７０及びＷＥＢサーバ８０を介して、端末機器６０にメッセージを表示するためのシステムである。
【００３２】
端末機器６０は、制御部６２、カメラ６４、液晶表示器６６及びタッチスクリーン６８を備えている。制御部６２は、図示しないＣＰＵ、ＲＯＭ、ＲＡＭ及び通信網９０に接続するためのＩ／Ｏを備えている。
【００３３】
また、図１に示すように、正面部材１０には、レーザ加工によって、ＱＲコード（登録商標）などの識別符号５０を刻印されている（以下、「識別符号５０」をＱＲコード５０として説明する）。このＱＲコード５０には、ＵＲＬ情報やメッセージ情報が格納されている。
【００３４】
ＱＲコード５０には、漢字・仮名文字の場合、最大１８１７文字が格納できるため、メッセージがその最大文字数以下の場合にはメッセージを格納しておき、スマートフォンなどの端末機器でＱＲコード５０を読み取って、メッセージを端末機器の画面に表示させる。
【００３５】
メッセージがＱＲコード５０に格納可能な最大文字数を超えたり、写真、動画などの画像情報、音声、音楽などの音情報を用いて情報を伝達したりしたい場合には、それらの情報をＷＥＢサーバ８０に格納しておき、そのＷＥＢサーバ８０にアクセスするためのＵＲＬ情報をＱＲコード５０に格納しておく。
【００３６】
カメラ６４は、ＱＲコードを読み取るための撮像装置であり、液晶表示器６６は、メッセージや端末機器６０の操作のための情報を表示する機器である。また、タッチスクリーン６８は、液晶表示器６６の表示面の表面に貼り付けられており、使用者の指等で押下された部分の位置を取得することができるようになっている。
【００３７】
ＤＮＳサーバ７０は、インターネット９０に接続されたコンピューターのドメイン名とＩＰアドレスを対応させる役割を担うサーバであり、ＷＥＢサーバ８０は、インターネット９０などのＷＷＷネットワークを通じて、ＷＥＢページなどのデータを送信するコンピューターである。
【００３８】
（メッセージ表示処理）
次に、図４に基づき、端末機器６０におけるメッセージ表示処理について説明する。図４は、端末機器６０においてメッセージ表示を行うためのメッセージ表示処理の流れを示すフローチャートである。
【００３９】
図４に示すように、メッセージ表示処理では、まず、Ｓ１００において、端末機器のＣＰＵは、図示しないカメラなどでＱＲコード５０を読み取り、続くＳ１０５では、Ｓ１００において読み取ったＱＲコード５０からＵＲＬを抽出し、続くＳ１１０では、Ｓ１０５において抽出したＵＲＬに基づいて、インターネット９０を介してＤＮＳサーバ７０及びＷＥＢサーバ８０にアクセスする。
【００４０】
続くＳ１１５では、Ｓ１１０でアクセスしたＷＥＢサーバ８０からメッセージを取得する。具体的には、故人が生前に用意していたお礼の文章、例えば、お葬式に参列していただいたことに対するお礼や墓参をしていただいた人に対するお礼の文章、故人の生前の姿を写した写真、あるいは、故人が生前に好んでいた音楽などをメッセージとして取得する。
【００４１】
続くＳ１２０では、Ｓ１１５で取得したメッセージを液晶表示器６６の表示画面に表示したり、スピーカから出力したりする。
続くＳ１２５では、終了情報を入力する。つまり、液晶表示器６６の画面上の所定の領域に終了のための入力を促す表示を行い（以下、この表示領域を「終了入力領域」と呼ぶ）、タッチスクリーン６８において、終了入力領域が押下状態であるか否かを取得する。
【００４２】
続くＳ１３０では、Ｓ１２５において取得したタッチスクリーン６８の終了入力領域の押下状態に基づき、終了か否かを判定する。つまり、終了入力領域が押下されていると判定した場合（Ｓ１３０：Ｙｅｓ）、処理を終了し、終了入力領域が押下されていないと判定した場合（Ｓ１３０：Ｎｏ）、処理をＳ１２５へ戻し、終了入力領域が押下されるまで待機状態となる。
【００４３】
（金属製墓標１の特徴）
以上のような金属製墓標１では、全体がＳＵＳ材など耐食性のある金属材料で形成されているため、経年劣化が少なく長年使用しても表面の光沢が失われることなく装飾性が保たれる。
【００４４】
また、金属製墓標１は、複数の部材の突き合わせ部分に隙間ができないように連続すみ肉溶接を行っている。したがって、金属製墓標１の内部に水分が侵入し難く、錆び難いため耐用年数も長くすることができる。
【００４５】
また、金属製墓標１に施される標示部分（「やすらぎ」などの標示）がレーザ加工などによりエッジが立った状態となっているため、標示を、立体的に装飾性を持たせたものとすることが可能となる。さらに、標示部分の凹部２２に塗料２４が注入されているため塗料２４の色などを選択することにより、装飾性をより向上させることができる。
【００４６】
さらに、識別符号５０を端末機器６０で読み込むことにより、文字表示、画像表示、音表示あるいはそれらの組み合わせにより、墓参にきてもらった人に対する種々のメッセージを伝達することが可能となり、故人や遺族の感謝の意をより強く伝えることができる。
【００４７】
［その他の実施形態］
以上、本発明の実施形態について説明したが、本発明は、本実施形態に限定されるものではなく、種々の態様を採ることができる。
【００４８】
（１）上記実施形態では、金属製標示体として金属製墓標１による説明を行ったが、金属製標示体としては、金属製墓標１以外にも、工事中を示す標示体や交通標識など他の用途の標示体であってもよい。
【００４９】
（２）上記実施形態では、正面部材１０のくり抜きをレーザ加工により行っていたが、ワイヤカットや放電加工など他の加工方法によって行ってもよい。
（３）上記実施形態では、正面部材１０を始めとする各部材１１〜１６、４０〜４６をＳＵＳ材としたが、耐食性のある金属材料であれば、チタニウムなど他の金属材料であってもよい。
【００５０】
（４）上記実施形態では、各部材の突き合わせ部分を溶接により接合して隙間ができないようにしていたが、隙間ができないようになればよいため、使用する材料によって接着剤による接着により接合部３０を形成することによって接合してもよい。
【００５１】
（５）上記実施形態では、閉塞部材２０の厚さを１［ｍｍ］、その他の部材の厚さを２［ｍｍ］としていたが、金属製標示体１の用途（重量、形状など）によって、厚さを変更してもよい。
【００５２】
（６）上記実施形態では、正面部材１０や各側面部材１１〜１４、背面部材１５、天井部材１６などを表面処理せずに用いていたが、それらの表面に装飾性を持たせるための加工、例えば、ヘアライン加工やシボ加工などを施してもよいし、表面処理を行ってもよい。
【００５３】
（７）上記実施形態では、金属製墓標１の平面の断面形状が不等辺六角形となっているが正六角形や他の多角形であってもよい。
【００５４】
（８）上記実施形態では、識別符号としてＱＲコードを刻印していたが、例えば、バーコードなどの他の方式の識別符号を用いてもよい。
【００５５】
（９）上記実施形態では、正面部材１０に識別符号を刻印していたが、各側面部材１１〜１４、背面部材１５、天井部材１６などに識別符号を刻印してもよい。
【００５６】
（１０）上記実施形態では、端末機器６０で表示などを行うメッセージは、故人のお礼に関する内容となっていたが、墓標以外で使用する場合などでは、使用目的に応じたメッセージの内容とすればよい。例えば、道路上の標識として使用する場合には、注意喚起のメッセージや回り道の案内などを表示等するようにすればよい。
【符号の説明】
【００５７】
１… 金属製墓標  ２…メッセージ伝達システム  ５… 墓標部  ７… 基礎部  １０… 正面部材  １１… 第１右側面部材  １２… 第２右側面部材  １３… 第１左側面部材  １４… 第２左側面部材  １５… 背面部材  １６… 天井部材  ２０… 閉塞部材  ２２… 凹部  ２４… 塗料  ３０… 接合部  ４０… 下部正面部材  ４１… 下部第１右側面部材  ４２… 下部第２右側面部材  ４３… 下部第１左側面部材  ４４… 下部第２側面部材  ４５… 下部背面部材  ４６… 底面部材  ５０… 識別符号  ６０… 端末機器  ６２… 制御部  ６４… カメラ  ６６… 液晶表示器  ６８… タッチスクリーン  ７０… ＤＮＳサーバ  ８０… ＷＥＢサーバ
【図１】
2019039963.tif 000003
【図２】
2019039963.tif 000004
【図３】
2019039963.tif 000005
【図４】
2019039963.tif 000006